(57)【要約】  【課題】高い落札価格を期待することができると共に、希望額以上の応札が得られなかった場合には、速やかに落札させることを可能とするネットオークション運営システムを提供する。  【解決手段】高い落札価格を期待できる個人向けオークションを早期の落札を期待できる事業者向けオークションに優先して行い、個人向けオークションが終了した時点で最高応札価格が売却希望価格を上回っていない場合に、管理サーバ９は、出品者のオークションに関する出品情報を出品情報データベース１３から受信し、これに基づき事業者向けオークションの出品情報を含むウェブ情報を作成し、この作成されたウェブ情報により事業者向けオークションのサービスを提供するウェブサーバのウェブ情報を更新する。事業者向けオークションは、この更新されたウェブ情報に基づきを実施される。【選択図】        図１
2008299601.tif 000002
【特許請求の範囲】
【請求項１】
インターネット等の通信網を利用したネットオークション運営システムであって、
売却希望価格が設定される個人向けオークションサービスを提供する第１ウェブサーバと、最低入札価格が設定される事業者向けオークションサービスを提供する第２ウェブサーバと、前記第１ウェブサーバと前記第２ウェブサーバとを管理する管理サーバと、出品者のオークションに関する出品情報を記憶する出品情報データベースとを有し、前記第１ウェブサーバでの個人向けオークションを前記第２ウェブサーバでの事業者向けオークションに優先して実施可能とし、
前記管理サーバは、
前記第１ウェブサーバでの個人向けオークションにおいて落札期限の経過時点で最高応札価格が前記売却希望価格を上回っているか否かを判定する価格判定手段と、
少なくとも前記価格判定手段により前記最高応札価格が前記売却希望価格を上回らなかったと判定された場合に、前記出品情報を前記出品情報データベースから受信する情報受信手段と、
前記受信した出品情報に少なくとも基づき事業者向けオークションの出品情報を含むウェブ情報を作成するウェブ情報作成手段と、
作成した前記ウェブ情報により前記第２ウェブサーバのウェブ情報を更新するウェブ情報更新手段を有し、
前記第２ウェブサーバは、前記ウェブ情報更新手段により前記ウェブ情報が更新された後に事業者向けオークションを実施する
ことを特徴とするネットオークション運営システム。
【請求項２】
前記管理サーバは、売却希望期日が所定期間内に迫っているか否かを判定する期間判定手段を有し、
前記情報受信手段は、前記価格判定手段により前記最高応札価格が前記売却希望価格を上回らなかったと判定された場合であって、前記期間判定手段により売却希望期日が所定期間内に迫っていると判定された場合に、前記出品情報を前記出品情報データベースから受信することを特徴とする請求項１記載のネットオークション運営システム。
【請求項３】
前記管理サーバは、出品者が前記第２ウェブサーバでの事業者向けオークションの実施を希望しているか否かを判定する事業者向けオークション希望判定手段を有し、
前記情報受信手段は、前記価格判定手段により前記最高応札価格が前記売却希望価格を上回らなかったと判定された場合であって、前記事業者向けオークション希望判定手段により事業者向けオークションの実施を希望していると判定された場合に、前記出品情報を前記出品情報データベースから受信することを特徴とする請求項１記載のネットオークション運営システム。
【請求項４】
前記第１ウェブサーバは、売却希望価格が設定される個人向けオークションサービスを行う前に即売価格を設定したワンプライス販売のサービスを提供する機能を更に備え、
前記管理サーバは、出品者が前記第１ウェブサーバでの個人向けオークションの実施を希望しているか否かを判定する個人向けオークション希望判定手段を更に有し、
前記第１ウェブサーバでのオークションは、所定時間内に前記ワンプライス販売による落札がなく且つ前記個人向けオークション希望判定手段により出品者が個人向けオークションの実施を希望していると判定された場合に行われることを特徴とする請求項１記載のネットオークション運営システム。
【請求項５】
前記個人向けオークションでの出品物に対する応札情報を記憶した応札情報データベースを更に備え、
前記ウェブ情報作成手段は、前記応札情報及び前記出品情報に基づき事業者向けオークションにおける前記最低入札価格を設定する手段を含む
ことを特徴とする請求項１記載のネットオークション運営システム。
【発明の詳細な説明】
【技術分野】
【０００１】
本発明は、インターネットを利用したネットオークション運営システム、より詳しくは、中古車流通市場等においてＣ２Ｃ型の取引と、Ｃ２Ｂ型の取引とを融合させたネットオークションの運営システムに関する。
【背景技術】
【０００２】
近年、インターネットを利用した中古車オークションが行われている。中古車オークションにおいては、入札者が事業者である場合が一般的であるが、入札者が個人でも可能な個人向けオークションも行われている。
事業者向けオークションは、比較的すぐに落札されるが落札価格は低くなる傾向にあり、個人向けオークションは、落札されるまでに時間はかかるが、落札価格は高くなる傾向にある。
尚、中古車のネットオークションに関連する技術としては、下記の特許文献１〜３等に示された技術が公知となっている。
【特許文献１】特開２００２−９９７７９号公報
【特許文献１】特開２００５−５０２８８号公報
【特許文献１】特開２００６−２６８６３５号公報
【発明の開示】
【発明が解決しようとする課題】
【０００３】
しかしながら、出品者は、できるだけ落札価格を高くしたいと要望する一方で、希望期日までにオークションを完了させたいという要望もある。このため、高い落札価格を希望するために個人向けオークションに出品すれば、落札までの期間が長くなるため早期の落札を期待できなくなり、また、早期の落札を希望するために事業者向けオークションに出品すれば、落札価格が低くなるため、高い落札価格を期待できなくなり、出品者の２つの要望を両立させにくいものであった。この相反する出品者の要望を両立させることは、オークションを活性化させる上で重要なポイントとなる。
【０００４】
本発明は、かかる事情に鑑みてなされたものであり、高い落札価格を期待することができると共に、希望額以上の応札が得られなかった場合には、速やかに落札させることを可能にするネットオークション運営システムを提供することを主たる課題としている。
【課題を解決するための手段】
【０００５】
上記課題を達成するために、本発明に係るネットオークション運営システムは、
インターネット等の通信網を利用したネットオークション運営システムであって、
売却希望価格が設定される個人向けオークションサービスを提供する第１ウェブサーバと、最低入札価格が設定される事業者向けオークションサービスを提供する第２ウェブサーバと、前記第１ウェブサーバと前記第２ウェブサーバとを管理する管理サーバと、出品者のオークションに関する出品情報を記憶する出品情報データベースとを有し、前記第１ウェブサーバでの個人向けオークションを前記第２ウェブサーバでの事業者向けオークションに優先して実施可能とし、前記管理サーバは、前記第１ウェブサーバでの個人向けオークションにおいて落札期限の経過時点で最高応札価格が売却希望価格を上回っているか否かを判定する価格判定手段と、少なくとも前記価格判定手段により前記最高応札価格が前記売却希望価格を上回らなかったと判定された場合に、前記出品情報を前記出品情報データベースから受信する情報受信手段と、前記受信した出品情報に少なくとも基づき事業者向けオークションの出品情報を含むウェブ情報を作成するウェブ情報作成手段と、作成した前記ウェブ情報により前記第２ウェブサーバのウェブ情報を更新するウェブ情報更新手段を有し、前記第２ウェブサーバは、前記ウェブ情報更新手段により前記ウェブ情報が更新された後に事業者向けオークションを実施することを特徴としている。
【０００６】
したがって、高い落札価格を期待できる個人向けオークションが早期の落札を期待できる事業者向けオークションに優先して行われ、管理サーバは、価格判定手段により個人向けオークションが終了した時点で最高応札価格が売却希望価格を上回っていないと判定した場合に、情報受信手段により出品者のオークションに関する出品情報を出品情報データベースから受信し、ウェブ情報作成手段により前記出品情報に少なくとも基づき事業者向けオークションの出品情報を含むウェブ情報を作成し、ウェブ情報更新手段によりこの作成されたウェブ情報によって第２ウェブサーバのウェブ情報を更新する。そして、第２ウェブサーバは、この更新されたウェブ情報に基づき事業者向けオークションを実施するので、高い落札価格を期待しつつ売却希望価格以上の応札がなかった場合に早期の落札を期待することが可能となる。
【０００７】
上述したネットオークション運営システムは、さらに、管理サーバに、売却希望期日が所定期間内に迫っているか否かを判定する期間判定手段を設け、前記情報受信手段は、前記価格判定手段により前記最高応札価格が前記売却希望価格を上回らなかったと判定された場合であって、前記期間判定手段により売却希望期日が所定期間内に迫っていると判定された場合に、前記出品情報を前記出品情報データベースから受信する構成としてもよい。
【０００８】
このような構成によれば、売却希望期日が迫っている場合に、事業者向けオークションの出品情報を含むウェブ情報が作成され、このウェブ情報により第２ウェブサーバのウェブ情報が更新され、事業者向けオークションへ移行することが可能となるので、売却希望期日までに売却されやすくなる。
【０００９】
また、管理サーバに、出品者が前記第２ウェブサーバでの事業者向けオークションの実施を希望しているか否かを判定する事業者向けオークション希望判定手段を設け、情報受信手段は、前記価格判定手段により前記最高応札価格が前記売却希望価格を上回らなかったと判定された場合であって、前記事業者向けオークション希望判定手段により事業者向けオークションの実施を希望していると判定された場合に、前記出品情報を前記出品情報データベースから受信する構成としてもよい。
【００１０】
このような構成によれば、出品者が事業者向けオークションを希望している場合にのみ事業者向けオークションへ移行させることが可能となるので、出品者の意向に反して安く落札されることを防ぐことが可能となる。
【００１１】
さらに、上述したネットオークション運営システムにおいて、第１ウェブサーバは、個人向けオークションサービスを行う前に即売価格（希望落札価格）を設定したワンプライス販売のサービスを提供する機能を更に備え、前記管理サーバは、出品者が前記第１ウェブサーバでの個人向けオークションの実施を希望しているか否かを判定する個人向けオークション希望判定手段を更に有し、前記第１ウェブサーバでのオークションは、所定時間内に前記ワンプライス販売による落札がなく且つ前記個人向けオークション希望判定手段により出品者が個人向けオークションの実施を希望していると判定された場合に行うようにしてもよい。
【００１２】
所謂ワンプライスオークション（定額販売方式のオークション）を個人向けオークションに先行させておこなうことで、出品者の希望金額で商品の売却を期待することが可能となり、所定時間内にワンプライス販売による落札がない場合でも、個人向けオークションの実施を希望している場合には、個人向けオークションによって高い落札価格を期待することが可能となる。
【００１３】
尚、上述したネットオークション運営システムにおいて、前記個人向けオークションでの出品物に対する応札情報を記憶した応札情報データベースを更に設け、前記ウェブ情報作成手段は、前記応札情報及び前記出品情報に基づき事業者向けオークションにおける最低入札価格を設定する手段を含むようにしてもよい。
【００１４】
個人向けオークションでの応札金額や応札回数などの応札情報から商品の人気や落札希望者の傾向が把握できることから、これらの傾向を反映させて事業者向けオークションでの最低落札価格を設定することで、事業者向けオークションにおいても不当に低い価格で落札されることがなくなり、落札価格の適正化を図ることが可能となる。
【発明の効果】
【００１５】
以上述べたように、請求項１に係る発明によれば、個人向けオークションが終了した時点で最高応札価格が売却希望価格を上回っていない場合に、事業者向けオークションの出品情報を含むウェブ情報を作成し、このウェブ情報により第２ウェブサーバのウェブ情報を更新させて事業者向けオークションを実施するようにしたので、Ｃ２Ｃ型の取引とＣ２Ｂ型の取引とを融合させることが可能となり、高い落札価格を期待しつつ希望額以上の落札価格が得られなかった場合には、速やかに落札させることが可能となる。
【００１６】
特に、請求項２に係る発明によれば、売却希望期日が迫っている場合に、事業者向けオークションの出品情報を含むウェブ情報を作成して、事業者向けオークションへ移行させることが可能となるので、高い落札価格を期待しつつ、売却希望期日までに売却されやすくなる。
【００１７】
また、請求項３に係る発明によれば、出品者が事業者向けオークションを希望している場合にのみ事業者向けオークションへ移行させることが可能となるので、出品者の意に反して安く落札されることを防ぐことが可能となる。
【００１８】
請求項４に係る発明によれば、個人向けオークションサービスを行う前にワンプライス販売が行われるので、出品者は希望落札価格で商品の売却を期待することが可能となり、所定時間内にワンプライス販売による落札がない場合でも、個人向けオークションの実施を希望している場合には、個人向けオークションによって高い落札価格を期待することが可能となる。
【００１９】
請求項５に係る発明によれば、事業者向けオークションにおける最低入札価格が応札情報及び出品情報に基づき設定されるので、出品物の人気や落札希望者の傾向を踏まえて、事業者向けオークションにおいても落札価格の適正化を図ることが可能となる。
【発明を実施するための最良の形態】
【００２０】
以下、本発明のネットオークション運営システムの実施形態を添付図面を参照しながら説明する。この例においては、中古車流通市場におけるＣ２Ｃ（Consumer to Consumer）型の取引と、Ｃ２Ｂ(Consumer to Business)型の取引とを融合させたネットオークションの運営システムについて説明する。
【００２１】
図１において、本発明に係るネットオークション運営システムの構成を示す模式図が示されている。このネットオークション運営システムは、インターネット１に接続されたネットオークション運営会社２と、出品者（売却ユーザ）の車両を査定すると共にオークションへの出品取次を行う査定店が所有する査定店端末３と、出品者自身が所有する出品者端末４と、購入ユーザが所有する購入ユーザ端末５と、中古車買取業者が所有する事業者端末６とを有して構成されている。
【００２２】
ネットオークション運営会社２は、個人向けオークションサービスを提供する第１ウェブサーバ７と、事業者向けオークションサービスを提供する第２ウェブサーバ８と、第１ウェブサーバ７及び第２ウェブサーバ８を管理する管理サーバ９と、データベースサーバ１０とを有し、これら管理サーバ９、第１ウェブサーバ７、第２ウェブサーバ８、及びデータベースサーバ１０は、情報処理装置として必要な機能（通信手段、記憶手段、制御部等）を備えており、インターネット１に接続するルータ１１にＬＡＮ伝送路１２を介して接続されている。
【００２３】
データベースサーバ１０は、出品者のオークションに関する出品情報を記憶する出品情報データベース１３及び出品物に対する応札情報を記憶した応札情報データベース１４を備えている。
【００２４】
ここで、出品情報データベース１３には、図２（ａ）に示されるように、車種、メーカー、走行距離、年式、査定店での査定状況、ワンプライス個人オークションの利用の有無、希望落札価格（希望ワンプライス価格）、個人オークション移行の希望の有無、売却希望価格、売却希望期日、事業者オークション移行の希望の有無等のオークションの出品に関する諸情報が出品番号に対応づけて格納されている。
【００２５】
また、応札情報データベース１４には、図２（ｂ）に示されるように、ワンプライス個人オークションの落札期間、個人オークションの落札期間、事業者オークションの落札期間、ワンプライス個人オークションの落札結果、個人オークションの応札結果（ユーザ番号、応札番号、応札日付、応札価格、オークション回数、応札価格平均値）などのオークションの応札に関する諸情報が出品番号に対応づけて格納されている。
【００２６】
管理サーバ９は、情報処理装置として必要な機能の他に、価格判定手段、情報受信手段、ウェブ情報作成手段、ウェブ情報更新手段、期間判定手段、事業者向けオークション希望判定手段、個人向けオークション希望判定手段等を備えている。以下に、これらの手段について説明するが、実際には、常駐する所定のプログラムによりハードウエア資源との協働により具現される。
【００２７】
価格判定手段は、第１ウェブサーバ７での個人オークションにおいて落札期限の経過した時点で最高応札価格が予めオークション開始前に設定されていた売却希望価格を上回っているか否かを判定する手段である。
【００２８】
情報受信手段は、価格判定手段により最高応札価格が売却希望価格を上回らなかったと判定されたことを少なくとも１つの条件として出品情報データベース１３から対象となる出品物の出品情報を受信する手段である。この情報受信手段は、さらに後述する期間判定手段により売却希望期日が所定期間内に迫っていると判定された場合や、後述する事業者向けオークション希望判定手段により事業者オークションの実施を希望していると判定された場合を追加的条件として出品情報を出品情報データベース１３から受信するようにしてもよい。
【００２９】
ウェブ情報作成手段は、出品情報データベース１３から受信した出品情報に少なくとも基づき、事業者オークションの出品情報を含むウェブ情報を作成する手段である。このウェブ情報作成手段は、応札情報データベース１４に記憶された応札情報と出品情報データベース１３に記憶された出品情報とに基づき事業者オークションにおける最低入札価格を設定する手段を含むようにしてもよい。
【００３０】
ウェブ情報更新手段は、ウェブ情報作成手段によって作成したウェブ情報により第２ウェブサーバのウェブ情報を更新する手段である。第２ウェブサーバは、このウェブ情報が更新された後に事業者オークションを実施する。
【００３１】
期間判定手段は、出品者が予め登録した売却希望期日が所定期間内に迫っているか否かを判定する手段であり、個人オークションを続けるか事業者オークションへ移行するかを判定するための１つの手段である。
【００３２】
事業者向けオークション希望判定手段は、出品者が第２ウェブサーバ８での事業者オークションの実施を希望しているか否かを判定する手段であり、個人向けオークション希望判定手段は、出品者が第１ウェブサーバ７での個人オークションの実施を希望しているか否かを判定する手段である。
【００３３】
図３乃至図５に、本発明に係るネットオークション運営システムの動作処理例がフローチャートとして示され、以下、このフローチャートに基づき本システムの動作処理例を説明する。尚、ここで示される処理例は、各サーバで読み取ることが可能な制御プログラムをＲＯＭチップやＣＤ−ＲＯＭ等の記憶媒体を介して供給することにより、或いは、ネットワークを介して配信すること等によって各サーバにインストールし、このインストールされた制御プログラムを実行させることで行なわれる。尚、フローチャートにおいて、破線で示されたステップは、人的な処理によって行われるステップである。
【００３４】
先ず、出品者（売却ユーザ）は、出品する中古車を査定店に持って行き、オークションへの出品を依頼すると、査定店は、持ち込まれた車両を査定して、前記図２（a）に示す出品に必要な諸条件（出品情報）を査定店端末３を介して出品情報データベース１３に登録する（ステップ５０）。
【００３５】
管理サーバ９は、これを受けて出品者が即売価格を設定したワンプライス販売を行うワンプライス個人オークションへの出品を希望しているか否かを出品情報データベース１３に予め登録された情報（ワンプライス個人オークションの利用の有無の情報）から判定し（ステップ５２）、ワンプライス個人オークションへの出品を希望していないと判定された場合には、後述するステップ７２以降の個人オークションの手続きへ進み、ワンプライス個人オークションへの出品を希望していると判定された場合には、ワンプライス個人オークションの希望落札価格（希望ワンプライス価格）を出品情報データベース１３から抽出し（ステップ５４）、この希望落札価格が設定された条件の下で第１ウェブサーバ７にてワンプライス個人オークションを開始する（ステップ５６）。
【００３６】
第１ウェブサーバ７によるワンプライス個人オークションが開始されると、第１ウェブサーバ７は応札情報を受信したか否かを判定し、応札情報を受信したと判定した場合には、管理サーバ９によって、第１落札者の応札情報を応札情報データベース１４に登録し（ステップ６０）、落札した第１落札者に対して落札した旨のメールを配信して通知する（ステップ６２）。そして、第１ウェブサーバ（個人オークションサイト）７のウェブ情報を更新する（ステップ６４）。
【００３７】
これに対して、ワンプライス個人オークションに応札者がなく、第１ウェブサーバ７が応札情報を受信していないと判定した場合には、管理サーバ９は、ワンプライス個人オークションの予め決められた落札期限が経過したか否かを判定し（ステップ６６）、落札期限が経過するまで応札情報の受信の有無をモニタリングする。
【００３８】
そして、管理サーバ９は、ワンプライス個人オークションの落札期限が経過したと判定した場合には、落札者がいない旨をメール等によって出品者に通知し（ステップ６８）、個人オークションへの移行を希望しているか否かを出品情報データベース１３に予め登録された情報（個人オークションへの移行希望の有無の情報）から判定する（ステップ７０）。
【００３９】
このステップ７０において、個人オークションへの移行希望がないと判定された場合には、個人オークションを実施せず、以後のオークション手続きを終了し、個人オークションへの移行希望があると判定された場合には、個人オークションの売却希望価格を出品情報データベース１３から抽出し（ステップ７２）、この売却希望価格が設定された条件の下で第１ウェブサーバ７にて個人オークションを開始する（ステップ７４）。
【００４０】
個人オークションの実施中は、第１ウェブサーバ７が応札情報を受信したか否かを判定し（ステップ７６）、第１ウェブサーバ７が応札情報を受信した場合には、管理サーバ９により、応札情報を応札データベース１４に登録し（ステップ７８）、個人オークションの予め決められた落札期限が経過したか否かを判定する（ステップ８０）。このステップ８０による判定は、第１ウェブサーバ７が応札情報を受信したか否かに拘わらず行われるもので、応札情報の受信の有無に拘わらず個人オークション落札期限が経過したと判定された場合には（所定時間経過した場合には）、個人オークションを終了し（ステップ８２）、個人オークション落札期限がまだ経過していないと判定された場合には、個人オークション落札期限が経過するまで応札情報の受信の有無をモニタリングする。
【００４１】
以上の流れは、出品者が査定点に出品したい中古車を持ち込み、査定店が中古車を査定した後に、査定情報を含む出品情報を出品情報データベース１３に登録して出品する場合であるが、出品者が自主判断により出品情報を自身の端末で入力して出品し、落札後に査定店に持ち込んで実車の確認を行う場合には、図４に示される処理が選択される。
【００４２】
即ち、出品者（売却ユーザ）は、出品する中古車に対する出品に必要な諸条件（出品情報）を自身の端末（出品者端末４）で出品情報データベース１３に登録する（ステップ９０）。
【００４３】
管理サーバ９は、これを受けてワンプライス個人オークションの希望落札価格（希望ワンプライス価格）を出品情報データベース１３から抽出し（ステップ９２）、この希望落札価格が設定された条件の下で第１ウェブサーバ７にてワンプライス個人オークションを開始する（ステップ９４）。
【００４４】
第１ウェブサーバ７によるワンプライス個人オークションが開始されると、第１ウェブサーバ７は応札情報を受信したか否かを判定し（ステップ９６）、応札情報を受信したと判定した場合には、管理サーバ９により、第１落札者の応札情報を仮落札として応札情報データベース１４に登録し（ステップ９８）、落札した第１落札者に対して仮落札した旨をメール等によって通知する（ステップ１００）。そして、第１ウェブサーバ７（個人オークションサイト）のウェブ情報を更新する（ステップ１０２）。
【００４５】
その後、出品者は査定店に出品した実車を持ち込み、査定店は、持ち込まれた実車を査定して査定結果を登録し（ステップ１０４）、第１落札者に対して査定結果をメールにて通知する（ステップ１０６）。第１落札者はこれを受けて自身の端末（購入ユーザ端末５）から購入するか否かの意思を通知する（ステップ１０８）。
【００４６】
これに対して、ワンプライス個人オークションによる応札者がなく、ステップ９６において第１ウェブサーバ７が応札情報を受信していないと判定した場合には、管理サーバ９は、ワンプライス個人オークションの予め決められた落札期限が経過したか否かを判定し（ステップ１１０）、経過するまで応札情報の受信の有無をモニタリングする。
【００４７】
そして、管理サーバ９は、ワンプライス個人オークションの落札期限が経過したと判定した場合に、落札者がいない旨をメール等によって出品者に通知し（ステップ１１２）、個人オークションへの移行を希望しているか否かを出品情報データベース１３に予め登録された情報（個人オークションへの移行希望の有無の情報）から判定する（ステップ１１４）。
【００４８】
個人オークションへの移行希望がないと判定された場合には、個人オークションを実施せず、以後のオークション手続きを終了し、個人オークションへの移行希望があると判定された場合には、出品者は査定店に出品した実車を持ち込み、査定店は、持ち込まれた実車を査定し（ステップ１１６）、査定結果を出品情報データベースに登録すると共に出品者が登録した出品情報に誤りがあればそれを適宜修正する（ステップ１１８）。そして、前記ステップ７２以降の処理が行われる。
【００４９】
ところで、個人オークションにおいて、落札期限が経過して個人オークションが終了すると、図５に示される管理サーバ９の処理が行われる。即ち、管理サーバ９は、個人オークションの結果、最高入札価格が予め設定しておいた売却希望価格を上回っているか否かを判定し（ステップ１２０）、上回っていると判定された場合には、落札者へ落札メールを配信して落札した旨を通知し（ステップ１２２）、第１ウェブサーバ７（個人オークションサイト）のウェブ情報を更新する（ステップ１２４）  
【００５０】
これに対して、最高入札価格が予め設定しておいた売却希望価格を上回っていないと判定された場合には、管理サーバ９は、売却希望価格で売却できない旨をメール等によって出品者に通知し（ステップ１２６）、事業者オークションへの移行を希望しているか否かを出品情報データベース１３に予め登録された情報（事業者オークションへの移行希望の有無の情報）から判定する（ステップ１２８）。
【００５１】
事業者オークションへの移行を希望していない場合には、出品情報データベース１３に予め登録された売却希望期日が経過したか否かを判定し（ステップ１３０）、売却希望期日が経過していれば以後のオークション手続きを終了し、売却希望期日が経過していなければ、個人オークションでの落札の可能性が未だあることから、２回目以降の個人オークションへ出品する旨を出品者へ通知し（ステップ１３２）、前記ステップ７４以下の第１ウェブサーバによる個人オークションを開始する。
【００５２】
これに対して、ステップ１２８において、事業者オークションへの移行を希望している場合には、売却希望期日までに１０日以上あるか否かが判定される。ここで示す１０日は、個人オークションが行われる期間を７日間、事業者オークションが行われる期間を３日間とした場合を想定しているもので、売却希望期日までに１０日以上あれば、個人オークションを事業者オークションに優先して再度行うことができるようにしている。
【００５３】
したがって、ステップ１２８において、１０日以上あると判定された場合には、再度個人オークションを開始するために、第２回目以降の個人オークションへ出品する旨を出品者へ通知し（ステップ１３２）、前記ステップ７４以下の第１ウェブサーバ７による個人オークションが開始される。
これに対して、売却希望期日までに１０日を満たないと判定された場合、即ち、売却希望期日までに再度個人オークションをやる時間的余裕がない場合には、事業者オークションへ移行すべく、以下の処理が行われる。
【００５４】
先ず、管理サーバ９は、対象となる出品物の出品情報を出品情報データベース１３から受信し（ステップ１３６）、また、対象となる出品物の個人オークションでの応札情報を応札情報データベース１４から受信する（ステップ１３８）。
【００５５】
そして、これら受信した出品情報と応札情報とに基づき、事業者オークション向け出品情報を作成する（ステップ１４０）。この事業者向け出品情報には、事業者オークションの最低入札価格の設定も含まれている。特に、最低入札価格の設定は、出品物の最終的な落札価格に影響を与えるため、適正な価格に設定されることが好ましい。
【００５６】
そこで、最低落札価格については、例えば、図６に示されるように、応札価格の平均と売却希望価格との比を算出し（ステップ１５０）、また、個人オークション１回当たりにおける応札回数を算定する（ステップ１５２）。そして、これら応札価格の平均と売却希望価格との比、及び、個人オークション１回当たりにおける応札回数と、査定店で査定した査定結果とに基づき、出品された車の市場価値を算定し（ステップ１５４）、この算定した市場価値に基づいて最低入札価格を決定する（ステップ１５６）。
【００５７】
最低入札価格を決定する具体例としては、様々なものが考えられるが、例えば図７に示される表に基づき算定する方法が考えられる。例えば図２の出品番号０００３の車は、出品者の売却希望価格が５０万円であり、個人オークションでの応札価格の平均は３５万円である。このため、売却希望価格に対する応札価格の平均値の割合は、３５／５０×１００＝７０％となる。また、オークション１回当たりの応札回数は、最後の応札番号が０００３−１３（応札回数１３回）、オークション回数が１回であるため、応札回数／オークション回数＝１３／１＝１３であり、査定店での査定状況はＢランクである。
【００５８】
このことから、図７の上表によれば、売却希望価格に対する応札価格の平均値の比率から４０点が得られ、査定店での査定状況から２０点が得られ、オークション１回当たりの応札回数から１０点が得られ、これらを合計した点（７０点）を市場価値を表すパラメータとして、この合計点に基づき事業者オークションでの最低入札価格を図７の下表から算出する。即ち、市場価値である７０点から個人オークションでの売却希望価格の８０％であるので、４０万円（５０×０．８）と算定する。
【００５９】
このようにして算定された最低入札価格を含む事業者オークション向け出品情報が作成された後に、ステップ１４０で作成した出品情報を含むウェブ情報により第２ウェブサーバ８のウェブ情報を更新し（ステップ１４２）、第２ウェブサーバ８は、ウェブ情報が更新された後に事業者オークションを開始する（ステップ１４４）。
【００６０】
したがって、上述のネットオークション運営システムによれば、高い落札価格を期待できる個人オークションが早期の落札を期待できる事業者オークションに優先して行われ、個人オークションが落札期限の経過により終了した時点で最高応札価格が売却希望価格を上回っていない場合は、管理サーバ９によって出品物の出品情報を出品情報データベース１３から受信すると共に個人オークションの応札情報を応札情報データベース１４から受信し、これら出品情報や応札情報から事業者オークションの出品情報を含むウェブ情報が作成され、この作成されたウェブ情報により第２ウェブサーバ８のウェブ情報が更新され、この更新されたウェブ情報に基づき事業者オークションが実施されるので、高い落札価格を期待しつつ早期の落札を期待することが可能となる。
【００６１】
また、個人オークションが終了した時点で最高応札価格が売却希望価格を上回っていない場合であって、売却希望期日が所定期間内に迫っていない場合には、再度個人オークションを実施することで、高い落札価格を期待することが可能となり、売却希望期日が所定期間内に迫っている場合には、出品情報が出品情報データベースから受信されて、事業者オークションの出品情報を含むウェブ情報が作成され、このウェブ情報により第２ウェブサーバ８のウェブ情報が更新されて事業者オークションへ移行することが可能となるので、売却希望期日までに売却されやすくなる。
【００６２】
さらに、上述の構成において、第１ウェブサーバ７でのオークションは、ワンプランス個人オークションによる所定時間内の落札がなく、個人オークションの実施を希望していると判定された場合に行われるので、ワンプライス個人オークションを個人オークションに先行させておこなうことで、落札者の希望金額で商品の売却を期待することが可能となり、所定時間内にワンプライス個人オークションによる落札がない場合でも、個人オークションによって高い落札価格を期待することが可能となる。
【００６３】
上述の構成においては、最高応札価格が売却希望価格を上回らなかったと判定された場合であって、出品者が事業者オークションの実施を希望していると判定された場合にのみ事業者オークションが実施されるので、出品者の意向に反して事業者オークションで安く落札されることがなくなる。
【００６４】
また、上述した構成においては、応札情報及び出品情報に基づき事業者オークションにおける最低入札価格が設定されるので、商品の人気や落札希望者の傾向を反映させて最低落札価格を設定することが可能となり、事業者オークションにおいても不当に低い価格で落札されることがなくなり、落札価格の適正化を図ることが可能となる。
【００６５】
尚、上述の構成においては、ステップ１３０において売却希望期日が過ぎている場合に本システムの処理を終了させるようにしているが、売却希望期日が過ぎた場合に出品者にメール等で連絡し、オークションサイトにアクセスして売却希望期日を延長したり、事業者オークションへの移行手続きを可能にしたりしてもよい。
【００６６】
また、上述の構成においては、実際のオークションを行う場合の例として示したが、実際のオークションに先立ち、上述した一連のフローを出品予定車両の落札予測や市場価値等を見極めるためのプレオークションを行うために利用してもよい。
【図面の簡単な説明】
【００６７】
【図１】図１は、本発明に係るネットオークション運営システムの構成例を示す模式図である。
【図２】図２（ａ）は出品情報データベースの構成例を示す図であり、図２（ｂ）は応札情報データベースの構成例を示す図である。
【図３】図３は、本発明に係るネットオークション運営システムの動作処理例を示すフローチャートであり、出品者が査定店に車を持ち込み、査定店が出品情報を出品情報データベースに登録する場合のルートを示す。
【図４】図４は、本発明に係るネットオークション運営システムの動作処理例を示すフローチャートであり、出品者が自身の端末から出品情報を出品情報データベースに登録する場合のルートを示す。
【図５】図５は、図３の続きを示すフローチャートである。
【図６】図６は、最低入札価格を決定する処理例を示すフローチャートである。
【図７】図７は、最低入札価格を決定する手法を説明する表である。
【符号の説明】
【００６８】
７  第１ウェブサーバ
８  第２ウェブサーバ  
９  管理サーバ
１３  出品情報データベース
１４  応札情報データベース
【図１】
2008299601.tif 000003
【図２】
2008299601.tif 000004
【図３】
2008299601.tif 000005
【図４】
2008299601.tif 000006
【図５】
2008299601.tif 000007
【図６】
2008299601.tif 000008
【図７】
2008299601.tif 000009